(57)【要約】      （修正有）【課題】使用に便利で適用性のよい腕式血中酸素濃度測定装置を提供する。【解決手段】腕式血中酸素濃度測定装置は血中酸素プローブ１０と、アームベルトと、本体とを含み、血中酸素プローブ１０は指輪１００と、センサと、振動器とを含み、指輪１００は弾性を有し、手指に装着するのに用い、センサと振動器とはいずれも指輪１００内に設置され、センサは装着者の血中酸素飽和度の測定に用い、血中酸素飽和度が予め設定した範囲より小さい場合、振動器が振動を発する。アームベルトは腕に装着し、本体はアームベルトに設置して血中酸素プローブ１０と通信接続する。【選択図】図１
0003217064.tif 000002
【実用新案登録請求の範囲】
【請求項１】
指輪と、センサと、振動器とが含まれ、前記指輪は両端が開口した中空構造で、かつ弾性を有し、前記指輪は手指に装着するために用い、前記センサおよび前記振動器はいずれも前記指輪内に設置され、前記センサは装着者の血中酸素飽和度を測定するために用い、血中酸素飽和度が予め設定した範囲より低い場合に前記振動器が振動を発する、血中酸素プローブと、
腕に装着するためのアームベルトと、
前記アームベルトに設置され、前記血中酸素プローブと通信接続し、それにより前記血中酸素プローブが測定した結果のデータ分析をおこなう本体と、
を含むことを特徴とする、腕式血中酸素濃度測定装置。
【請求項２】
前記血中酸素プローブは弾性のある接続部をさらに含み、前記指輪には切欠きが設けられ、前記接続部は前記切欠きの箇所に設置され、前記接続部の厚みは前記指輪の厚みより小さく、前記指輪を手指に装着し、かつ前記指輪と前記接続部とのいずれにも弾性変形が発生する場合、前記接続部の弾性変形量は、前記指輪に発生する弾性変形量より大きいことを特徴とする、請求項１に記載の腕式血中酸素濃度測定装置。
【請求項３】
前記指輪は、前記接続部の両側でギャザー状を呈することを特徴とする、請求項２に記載の腕式血中酸素濃度測定装置。
【請求項４】
自然な状態で、前記接続部は前記指輪の直径方向外向きにカールすることを特徴とする、請求項２に記載の腕式血中酸素濃度測定装置。
【請求項５】
前記接続部には、貫通孔と切欠きとのうち少なくとも１種が開けられていることを特徴とする、請求項２に記載の腕式血中酸素濃度測定装置。
【請求項６】
前記接続部の幅は、前記指輪の幅より小さいことを特徴とする、請求項２に記載の腕式血中酸素濃度測定装置。
【請求項７】
前記指輪と前記接続部とが一体成型されることを特徴とする、請求項２に記載の腕式血中酸素濃度測定装置。
【請求項８】
前記血中酸素プローブは、前記指輪内に嵌設された回路基板をさらに含み、前記回路基板は、前記センサおよび前記本体にいずれも電気的に接続されることを特徴とする、請求項１に記載の腕式血中酸素濃度測定装置。
【請求項９】
前記血中酸素プローブは、電気接続線またはブルートゥースを介して前記本体との通信接続を実現することを特徴とする、請求項１に記載の腕式血中酸素濃度測定装置。
【請求項１０】
前記本体は、前記アームベルトと取り外し可能に接続されることを特徴とする、請求項１に記載の腕式血中酸素濃度測定装置。
【請求項１１】
前記アームベルトは、固定部と、前記固定部の相対する両側に接続する接続ベルトとを含み、前記固定部には収納槽が設置され、前記本体の少なくとも一部構造が前記収納槽内に設置されることを特徴とする、請求項１に記載の腕式血中酸素濃度測定装置。
【請求項１２】
前記本体は、ケースと、マイクロプロセッサと、メモリとを含み、前記ケースの少なくとも一部構造は、前記収納槽内に設置され、前記マイクロプロセッサと前記メモリとは、前記ケース内に設置され、前記マイクロプロセッサは、前記血中酸素プローブが測定した結果のデータ分析を実施でき、前記メモリは、前記マイクロプロセッサが分析処理した後のデータを記憶できることを特徴とする、請求項１１に記載の腕式血中酸素濃度測定装置。
【請求項１３】
前記ケースは、前記収納槽中に位置するボトムケースと、前記ボトムケースに接続するトップケースとを含み、前記ボトムケースの底面には差込接続ロッドが設けられ、前記固定部には前記差込接続ロッドに対応した差込接続孔が設けられ、前記差込接続ロッドを前記差込接続孔に差し込むことによって、前記ケースを前記アームベルトに固定することを特徴とする、請求項１２に記載の腕式血中酸素濃度測定装置。
【請求項１４】
前記本体は表示パネルを含み、前記表示パネルは分析処理後のデータを表示することができることを特徴とする、請求項１に記載の腕式血中酸素濃度測定装置。
【請求項１５】
前記血中酸素プローブは加速度センサをさらに含み、前記加速度センサは、装着者の運動が原因で起こった干渉の情報を収集し、これにより、収集された干渉情報に基づいて前記本体にデータを修正させることができることを特徴とする、請求項１に記載の腕式血中酸素濃度測定装置。
【請求項１６】
前記指輪は、手指の付け根または腹部に装着されることを特徴とする、請求項１に記載の腕式血中酸素濃度測定装置。
【考案の詳細な説明】
【技術分野】
【０００１】
本実用新案は医療機器分野に関し、特に腕式血中酸素濃度測定装置に関する。
【背景技術】
【０００２】
経済的な生活レベルの向上にしたがい、人々の健康意識も強まっており、例えばパルスオキシメーターで手指の血中酸素飽和度を測定するなど、自分の生理的パラメータのリアルタイムモニタリングへの要求も高くなっている。血中酸素飽和度とは、血液中において、酸素と結合したオキシヘモグロビンの容量が結合可能な全ヘモグロビンに占める百分率のことで、血中酸素飽和度は、人体の血液の酸素運搬能力をはかるための重要パラメータであり、臨床医療における重要な基礎データの１つでもある。
【考案の概要】
【考案が解決しようとする課題】
【０００３】
既存のパルスオキシメーターは制約が多く、使用の際は仕事や生活に不便があり、適用性が低い。
【０００４】
このことに基づき、使用に便利で適用性のよい腕式血中酸素濃度測定装置を提供する必要がある。
【課題を解決するための手段】
【０００５】
腕式血中酸素濃度測定装置には、指輪と、センサと、振動器とが含まれる血中酸素プローブであって、指輪は両端が開口した中空構造で、かつ弾性を有し、指輪は手指に装着するために用い、センサおよび振動器はいずれも指輪内に設置され、センサは装着者の血中酸素飽和度を測定するために用い、血中酸素飽和度が予め設定した範囲より低い場合に振動器が振動を発する、血中酸素プローブと、腕に装着するためのアームベルトと、アームベルトに設置され、血中酸素プローブと通信接続し、それにより血中酸素プローブが測定した結果のデータ分析をおこなう本体と、を含む。
【０００６】
このうち、１つの実施例において、血中酸素プローブは弾性のある接続部をさらに含み、指輪には切欠きが設けられ、接続部は切欠きの箇所に設置され、接続部の厚みは指輪の厚みより小さく、指輪を手指に装着し、かつ指輪と接続部とのいずれにも弾性変形が発生する場合、接続部の弾性変形量は、指輪に発生する弾性変形量より大きい。このうち、１つの実施例において、指輪は接続部の両側箇所においてギャザー状を呈する。このうち、１つの実施例において、自然な状態下で、接続部は指輪の直径方向外向きにカールする。
【０００７】
このうち、１つの実施例において、接続部には、貫通孔と切欠きとの少なくとも１種が開けられている。
【０００８】
このうち、１つの実施例において、接続部の幅は指輪の幅よりも小さい。
【０００９】
このうち、１つの実施例において、指輪は接続部と一体成型される。
【００１０】
このうち、１つの実施例において、血中酸素プローブは、指輪内に嵌設された回路基板をさらに含み、回路基板は、センサおよび本体にいずれも電気的に接続される。
【００１１】
このうち、１つの実施例において、血中酸素プローブは、電気接続線またはブルートゥース（登録商標）を介して本体との通信接続を実現する。
【００１２】
このうち、１つの実施例において、本体は、アームベルトと取り外し可能に接続される。
【００１３】
このうち、１つの実施例において、アームベルトは、固定部と、固定部の相対する両側に接続する接続ベルトとを含み、固定部には収納槽が設置され、本体の少なくとも一部構造が収納槽内に設置される。
【００１４】
このうち、１つの実施例において、本体は、ケースと、マイクロプロセッサと、メモリとを含み、ケースの少なくとも一部構造は、収納槽内に設置され、マイクロプロセッサとメモリとは、ケース内に設置され、マイクロプロセッサは、血中酸素プローブが測定した結果のデータ分析を実施でき、メモリは、マイクロプロセッサが分析処理した後のデータを記憶できる。
【００１５】
このうち、１つの実施例において、ケースは、収納槽中に位置するボトムケースと、ボトムケースに接続するトップケースとを含み、ボトムケースの底面には差込接続ロッドが設けられ、固定部には差込接続ロッドに対応した差込接続孔が設けられ、差込接続ロッドを差込接続孔に差し込むことによって、ケースをアームベルトに固定する。
【００１６】
このうち、１つの実施例において、本体は表示パネルを含み、表示パネルは分析処理後のデータを表示できる。
【００１７】
このうち、１つの実施例において、血中酸素プローブは加速度センサをさらに含み、加速度センサは、装着者の運動が原因で起こった干渉の情報を収集し、これにより、収集された干渉情報に基づいて本体にデータを修正させることができる。
【００１８】
このうち、１つの実施例において、指輪は手指の付け根部または指腹部に装着するのに用いる。
【００１９】
上記の腕式血中酸素濃度測定装置は、本体がアームベルトによって腕に装着され、指輪は装着者の手指にしっかりと嵌めることができ、適応性がよく、着け心地がよく、そのほかの付属部品を必要とせずに心拍数および血中酸素飽和度を測定でき、かつ、装着時に装着者の活動が制限されず、日常の継続的モニタリングへの応用に便利であり、疾病状況の管理制御を向上させ、迅速で正確な治療を保障する。
【図面の簡単な説明】
【００２０】
【図１】一実施例で提示される、腕式血中酸素濃度測定装置における血中酸素プローブの立体構造概略図である。
【図２】一実施例で提示される、腕式血中酸素濃度測定装置における本体およびアームベルトの組立構造概略図である。
【図３】図１に示す血中酸素プローブの立体分解概略図である。
【図４】図１に示す血中酸素プローブの側面構造概略図１である。
【図５】図１に示す血中酸素プローブの側面構造概略図２である。
【図６】図２に示す本体およびアームベルトの組立の立体分解概略図である。
【図７】図２に示す腕式血中酸素濃度測定装置における本体の部分側面構造概略図である。
【考案を実施するための形態】
【００２１】
本実用新案を理解しやすくするため、以下では関連図面を参照しながら本実用新案についてより全面的に描写する。図面において、本実用新案の好適な実施形態を提示する。ただし、本実用新案は多くの異なる形式で実現することができ、この文で描写される実施形態に限定されるわけではない。逆に、これらの実施形態を提供する目的は、本実用新案が開示する内容をより完全に、より深く理解することである。
【００２２】
説明が必要なのは、ある部品が別の部品と「接続」すると見なされる場合、別の部品に直接接続されていてもよいし、中間の部品が同時に存在していてもよいという点である。この文で使用する用語「垂直な」、「水平な」、「左」、「右」およびこれに類する表現は、説明という目的のためにすぎず、唯一の実施形態であることを示すわけではない。
【００２３】
別途定義がある場合を除き、この文で使用する技術用語および科学用語はすべて、本実用新案が属する技術分野の技術者により通常理解される意味と同義である。本実用新案の明細書で使用する用語は、具体的な実施形態を描写するという目的のためにすぎず、本実用新案を限定する意図のものではない。この文で使用する用語「および／または」には、１つ、または関連して列記される複数の項目の、任意およびすべての組み合わせが含まれる。
【００２４】
図１〜３を参照されたい。一実施例で提示される、腕式血中酸素濃度測定装置であり、血中酸素プローブ１０と、アームベルト４００と、アームベルト４００に設置される本体５００とを含む。
【００２５】
血中酸素プローブ１０は、指輪１００と、指輪１００内に設置された回路基板２００と、回路基板２００に電気的に接続されたセンサとを含み、センサと回路基板２００とは電気的に接続されて装着者の心拍数および血中酸素飽和度の測定に用いられる。指輪１００は中空の管状を呈し、かつ、切欠き１０１が開けられており、指輪１００は弾性を有し、当該切欠き１０１の箇所に接続部１１０が設置され、指輪１００を手指に装着した際、接続部１１０に発生する弾性変形量が指輪１００に発生する弾性変形量よりも大きく、これにより指輪１００は、太さの異なる手指の付け根部または指腹部への装着に適応できる。
【００２６】
図１、図３、図４を合わせて参照すると、一実施例において、接続部１１０と指輪１００とは一体成形され、かつ、例えば弾性シリコンなど同種の材質が採用され、接続部１１０の厚みは指輪１００の厚みよりも小さい。指輪１００は、弾性を有するとともに接続部１１０の両側箇所がギャザー状を呈し、これにより指輪１００の内径が小さくなり、指輪１００は接続部１１０の両側箇所で内向きに収縮する力を有し、接続部１１０は、自然な状態下で、指輪１００の直径方向外向きにカールし、指輪１００はそれ自体の弾性により内向きに収縮する力を有し、指輪１００を細い手指に装着する場合も手指にしっかり密着し、手指から滑り落ちにくい。接続部１１０の厚みは指輪１００の厚みよりも小さく設定され、指輪１００を太い手指に嵌める（指輪１００の内径が手指の直径より小さい）場合、接続部１１０が展開し、手指の直径が、接続部１１０が完全に展開し変形していないときの指輪１００の直径よりも大きい場合、接続部１１０が変形して引き伸ばされ、接続部１１０の変形量は指輪１００のその他の領域に発生する変形量より大きく、これにより、指輪１００を手指の付け根部または指腹部にしっかりと嵌めることができる。指輪１００を大きい手指の付け根部または指腹部に装着すると、接続部１１０が完全に展開するとともに変形し、これにより着け心地の良さを向上させる。本実施例における血中酸素プローブ１０は、全体の体積が小さく、様々な太さの手指に装着でき、しかも、手指の付け根に装着でき、かつ、指輪１００自体の厚みが薄いため、装着後の手指の動きに与える影響が大幅に減少し、装着者は装着後も手指を使った作業ができ、不快感が発生せず、従来のパルスオキシメーターを装着すると手指を動かすのに不便で適用性が小さいという問題を効果的に克服できる。
【００２７】
図２、図６を合わせて参照すると、本体５００には表示パネル５４０が設置され、本体５００がデータ分析した後の分析結果を表示する。同時に、本体５００にはさらにＬＥＤパイロットランプ（図示せず）を設置してもよく、ＬＥＤパイロットランプは、測定された生体パラメータデータを相応の状態および／または色に変換、例えば、血中酸素プローブ１０の測定で得られた心拍数と血中酸素飽和度とが予め設定した範囲内でない場合、正常を示す緑から赤に変えて、かつ点滅を続け、これにより装着者に異常の提示を知らせることができる。一実施形態において、ＬＥＤパイロットランプは、複数のＬＥＤが間隔を空けて設置され、発光するＬＥＤの数量を用いて生体パラメータに対応した表現をおこない、装着者が現在の生体状況を理解するのに便利であり、表示パネル５４０とＬＥＤパイロットランプを組み合わせた方式を用いて、装着者の生体状態をすばやく便利に取得できる。
【００２８】
アームベルト４００と指輪１００とはいずれも弾性を有する弾性シリコンを用いることができ、接続部１１０の内表面は指輪１００の内表面とつながるように設置され、指輪１００の装着後に接続部１１０が全部展開し、かつ弾性変形を発生した際に、接続部１１０の内表面の各領域はすべて手指と密着することができる。図３、図５に示すように、一実施形態において、接続部１１０の幅は指輪１００の幅よりも小さく設定され、接続部１１０には貫通孔（図示せず）および／または切欠きが開けられ、貫通孔は、規則的なものでもよいし、円孔、楕円孔、方形孔など不規則な貫通孔でもよく、貫通孔は１つだけ設置しても複数設置してもよく、複数の貫通孔を設置する場合は、等間隔に設置してもよいし、一定規則に基づく間隔で設置してもよい。その他の実施例において、指輪１００には、複数の上記接続部１１０が間隔を空けて設置され、例えば間隔を空けて３つの接続部１１０が設置され、複数の接続部１１０は指輪１００の円周方向に延びるように分布配置され、各接続部１１０の厚みは一致している。
【００２９】
図３〜図５を参照すると、指輪１００の内壁面には間隔を空けて２つの溝が設置され、血中酸素飽和度を測定するためのセンサは、当該２つの溝の中にそれぞれ設置される発光管３１０と受信管３２０とを含み、発光管３１０と受信管３２０とはそれぞれフレキシブル導体を介して回路基板２００と電気的に接続し、指輪１００には、内壁の発光管３１０および受信管３２０に対応した領域にそれぞれ透光層が形成され、透光層は透明なシリコンを用いることができ、シリコンが発光管３１０および受信管３２０を被覆する。血中酸素プローブ１０を人体の手指に装着（例えば人差し指に装着）したとき、発光管３１０が発する光線が手指の皮膚組織下の動脈毛細血管を探査し、受信管３２０は受け取った光線を電気信号に変換して本体５００に送信し、データ処理と分析をおこなう。一実施形態において、指輪１００の相対する両側にそれぞれ発光管３１０、受信管３２０を設置し、かつ、発光管３１０および受信管３２０は対称設置され、つまり透過型センサを形成し、例えば発光管３１０を指輪１００の７時の位置に設置し、受信管３２０を指輪１００の４時の位置に設置する。発光管３１０と受信管３２０は、接続部１１０両側の指輪１００の側壁のうち同じ側の壁に間隔を空けて設置、すなわち反射式センサを形成してもよい、と理解できる。
【００３０】
回路基板２００は、硬質基板またはフレキシブル基板を採用することができ、フレキシブル導体には、フレキシブルフラットケーブルまたはフレキシブルブスバーを採用することができ、これにより弾性を有する指輪１００中に各部材を埋め込み充填し、指輪１００内に設置した各部材は、引張り変形により損壊されにくい。
【００３１】
指輪１００には振動器３３０が設置され、血中酸素プローブ１０が測定した心拍数と血中酸素飽和度の数値が予め設定した範囲内にないとき、当該振動器３３０は振動して装着者に注意を促し、振動器３３０は平たい円形または矩形の振動器とすることができ、振動器３３０は本体に設置してもよいことが理解できる。図３、図４に示すように、一実施形態において、指輪１００には平たい円形の振動器が設置され、平たい円形の振動器は接続部１１０と相対して設置される。
【００３２】
図２、図６を合わせて参照すると、本体５００は、中空のケースと、ケース内に固定されたマイクロプロセッサ５３０と、メモリ（図示せず）とを含み、マイクロプロセッサ５３０は血中酸素プローブ１０が測定した数値を受信してデータを分析処理し、メモリは分析処理後のデータを記憶する。マイクロプロセッサ５３０は、予め設定したアルゴリズムで装着者の心拍数および血中酸素飽和度の値を取得する。
【００３３】
アームベルト４００は、固定部４１０と、固定部４１０の相対する両側に接続された接続ベルト４２０とを含み、固定部４１０には収納槽４１１両側の接続ベルト４２０が設置され、本体５００を腕に装着するためしっかりと連結でき、かつ連結位置を調整できる。本体５００は、固定部４１０の収納槽４１１中に設置されたケースと、ケース内に設置されたマイクロプロセッサ５３０と、メモリとを含み、ケースは一部が収納槽４１１から突き出していてもよく、頂面のみが収納槽４１１から露出していてもよく、マイクロプロセッサ５３０と回路基板２００とは電気的に接続され、メモリは回路基板２００を介してマイクロプロセッサ５３０と接続され、マイクロプロセッサ５３０は回路基板２００が伝送したデータを受信した後、データを分析処理し、データ分析完了後に表示パネル５４０を介して分析結果を表示する。
【００３４】
図２、図６、および図７を合わせて参照すると、ケースは、収納槽４１１中に固定されたボトムケース５１０と、ボトムケース５１０に密封接続されたトップケース５２０とを含み、トップケース５２０は透明の材質で作成され、アームベルト４００とケースとは取り外し可能に接続する構造を採用しており、より具体的には、ボトムケース５１０の底面にヘッド部材が固定設置され、当該ヘッド部材は少なくとも１本の差込接続ロッド５５０であり、当該差込接続ロッド５５０は柱状のロッド部５５１を含み、ロッド部５５１の底端に形成された半球状のヘッド部は、差込接続端とボトムケース５１０底面との間の複数の位置決め部５５３に間隔を空けて形成され、固定部４１０には、ロッド部に対応した位置に内径の小さな差込接続孔４１２が開けられ、アームベルト４００の固定部４１０が一定の弾性を有するため、差込接続ロッド５５０を固定部４１０に一定の深さ差し込むと、位置決め部５５３が固定部４１０中に掛かり、ケースとアームベルト４００との間を相対的に固定し続け、本体５００を取り出したいときは、力を入れて上向きに抜くだけでよい。収納槽４１１の側壁の１つにはさらに開口が設置され、本体５００を収納槽４１１から取り出す操作に便利である。
【００３５】
図１、図２、および図５を合わせて参照すると、一実施形態において、本体５００は電気接続線６００を介して血中酸素プローブ１０との通信接続を実現し、電気接続線６００の一端が血中酸素プローブ１０中の回路基板２００にはんだ接続され、電気接続線６００の他端はＵＳＢ端子６１１であり、ケースにはマイクロプロセッサ５３０と電気的に接続するＵＳＢポートが設けられる。血中酸素プローブ１０は、本体５００との接続のための電気接続線６００をさらに含み、当該電気接続線６００は、指輪１００内から引き出され、指輪１００の後端に延伸部１３０が接続され、指輪１００の外側壁の先端近傍箇所に突出部１２０が突出するように設けられ、延伸部１３０は突出部１２０と接続し、振動器３３０は突出部１２０内に嵌設して固定され、電気接続線６００は延伸部１３０から引き出された後、延伸部１３０を通過する。電気接続線６００の本体５００から遠い一端には、磁石吸着式の接続構造をさらに採用することができ、挿抜操作に便利である。
【００３６】
別の実施例において、本体５００と血中酸素プローブ１０とはブルートゥース（登録商標）によって通信接続を実現し、電気接続線６００の挿抜操作の手間を省くことができ、また、装着者の運動時に電気接続線６００が装着者の肌に頻繁に接触することによる不快感を回避できる。血中酸素プローブ１０と本体５００とは、組み合わせて使用するｚｉｇｂｅｅ（登録商標）トランシーバを設置して両者間の無線通信接続を実現することもできることが理解できる。
【００３７】
さらに、指輪１００には加速度センサ（図示せず）がさらに設置され、測定過程において人体の運動による干渉情報を収集するために用い、本体５００は加速度センサが収集した干渉情報に基づき血中酸素プローブ１０が収集したデータを補正し、より正確な生体パラメータを得る。
【００３８】
上記の腕式血中酸素濃度測定装置は、本体がアームベルトによって腕に装着され、指輪は装着者の手指の付け根部または指腹部にしっかりと嵌めることができ、適応性がよく、着け心地がよく、そのほかの付属部品を必要とせずに心拍数および血中酸素飽和度を測定でき、かつ、装着時に装着者の活動が制限されず、日常の継続的モニタリングへの応用に便利であり、疾病状況の管理制御を向上させ、迅速で正確な治療を保障する。
【００３９】
以上に記載した実施例の各技術的特徴は、任意に組み合わせることができ、描写を簡潔にするため、上記実施例中の各技術的特徴の可能な組み合わせをすべては描写していないが、これらの技術的特徴の組み合わせに矛盾がないかぎり、すべて本明細書に記載の範囲にあると判断すべきである。
【００４０】
以上に記載の実施例は本実用新案のいくつかの実施形態を表すにすぎず、具体的かつ詳細に描写したが、それを根拠に本実用新案の権利範囲が限定されると理解することはできない。指摘すべきは、当業者にとって、本実用新案の構想を逸脱しない前提で、若干の変形および改良をおこなうことが可能であるが、それらはすべて本実用新案の保護範囲に属するという点である。このため、本実用新案の保護範囲は、付属の「請求の範囲」を基準とするべきである。
【符号の説明】
【００４１】
１０  血中酸素プローブ、１００  指輪、１０１  切欠き、１０２  溝、１１０  接続部、１２０  突出部、１３０  延伸部、２００  回路基板、３１０  発光管、３２０  受信管、３３０  振動器、４００  アームベルト、４１０  固定部、４１１  収納槽、４１２  差込接続孔、４２０  接続ベルト、５００  本体、５１０  ボトムケース、５２０  トップケース、５３０  マイクロプロセッサ、５４０  表示パネル、５５０  差込接続ロッド、５５１  ロッド部、５５３  位置決め部、６００  電気接続線、６１１  ＵＳＢ端子。
【図１】
0003217064.tif 000003
【図２】
0003217064.tif 000004
【図３】
0003217064.tif 000005
【図４】
0003217064.tif 000006
【図５】
0003217064.tif 000007
【図６】
0003217064.tif 000008
【図７】
0003217064.tif 000009